(57)【要約】  フィルタ装置は、傾斜板と、可動フィルタ部とを備える。傾斜板は、電子装置を収容する第１の電子装置収容装置と第２の電子装置収容装置との間に配置され、上記第１の電子装置収容装置側の空間と上記第２の電子装置収容装置側の空間とを仕切る。可動フィルタ部は、上記傾斜板の周囲を取り囲むように周回する。
2011070632.tif 000002
【特許請求の範囲】
【請求項１】
電子装置を収容する第１の電子装置収容装置と第２の電子装置収容装置との間に配置され、前記第１の電子装置収容装置側の空間と前記第２の電子装置収容装置側の空間とを仕切る傾斜板と、
前記傾斜板の周囲を取り囲むように周回する可動フィルタ部と、
を備えることを特徴とするフィルタ装置。
【請求項２】
前記可動フィルタ部に付着した塵埃を除去する塵埃除去部を更に備えることを特徴とする請求項１記載のフィルタ装置。
【請求項３】
前記可動フィルタ部は、前記第１の電子装置収容装置への吸入気体の吸入口と前記第２の電子装置収容装置からの排出気体の排出口とに亘って前記傾斜板の周囲を取り囲むように周回し、
前記塵埃除去部は、前記排出口において前記塵埃を除去する、
ことを特徴とする請求項２記載のフィルタ装置。
【請求項４】
前記可動フィルタ部を、前記塵埃除去部により前記塵埃が除去される部分において拡張させるフィルタ拡張部を更に備えることを特徴とする請求項２記載のフィルタ装置。
【請求項５】
前記フィルタ拡張部は、前記可動フィルタ部をガイドする２つのガイド部を含み、
前記２つのガイド部は、前記可動フィルタ部の周回方向に亘って互いの間隔が増減する、
ことを特徴とする請求項４記載のフィルタ装置。
【請求項６】
前記塵埃除去部は、前記可動フィルタ部をはたくはたき部を含み、
前記可動フィルタ部は、その周回時に前記はたき部を前記可動フィルタ部から遠ざけその反動で前記はたき部により前記可動フィルタ部をはたかせる突起部を含む、
ことを特徴とする請求項２記載のフィルタ装置。
【請求項７】
前記可動フィルタ部は、フィルタと、該フィルタを保持するフィルタ保持部とを更に含み、
前記突起部は、前記フィルタ保持部に設けられている、
ことを特徴とする請求項６記載のフィルタ装置。
【請求項８】
前記突起部には、前記可動フィルタ部の周回時に加わる曲げ応力を緩和する凹部が形成されていることを特徴とする請求項６記載のフィルタ装置。
【請求項９】
請求項１から請求項８のいずれか１項記載のフィルタ装置と、
前記第１の電子装置収容装置及び前記第２の電子装置収容装置と、
を備えることを特徴とする電子装置用筐体。
【発明の詳細な説明】
【技術分野】
【０００１】
本明細書で議論される実施態様は、可動フィルタ部を備えるフィルタ装置、並びに、このフィルタ装置及び電子装置を備える電子装置用筐体に関する。
【背景技術】
【０００２】
近年、電子装置は、更なる高密度実装を実現するために装置内部を冷却する必要があり、冷却ファンによる強制空冷が一般化してきている。
電子装置を収容する電子装置用筐体のように、外装面に設けられた吸入口から冷却ファンにより冷却空気を取り入れる構造においては、吸入口に取り付けたフィルタを定期的に又は装置警報があった際に速やかに交換する必要がある。【０００３】
装置警報としては、例えば、フィルタに塵埃等が溜まり吸入口からの吸入風量が低下したことを通知する装置警報や、装置内部温度が規定値を超えたことを通知する装置警報である。【０００４】
ところで、フィルタを備える機器の例としては、ファンを備える凝縮器の全周を取り囲むようにエンドレス状の帯状フィルタが配置され、このフィルタの途中がフィルタ回転移動用の駆動ローラに掛合した冷凍装置が知られている。【０００５】
また、粉体物回収装置として、ケーシング内に、ケーシングの空気入口を遮って回走するエンドレス濾材が設けられ、かつ、濾材に付着した粉粒体を濾材から離脱せしめる粉粒体除去装置が設けられた粉体物回収装置が知られている。
【先行技術文献】
【特許文献】
【０００６】
【特許文献１】実開平０５−００８３５５号公報
【特許文献２】特開平１１−３００１３２号公報
【発明の概要】
【発明が解決しようとする課題】
【０００７】
ところで、上述の電子装置用筐体におけるフィルタの交換は、フィルタ自体の費用が発生するだけでなく、電子装置が設置される場所が無人である場合にはフィルタ交換の度に人を派遣する必要があるなど、フィルタのメンテナンス負担が生じる。【０００８】
本発明の目的は、フィルタのメンテナンス負担を軽減することができるフィルタ装置及び電子装置用筐体を提供することである。
【課題を解決するための手段】
【０００９】
本明細書で開示するフィルタ装置は、傾斜板と、可動フィルタ部とを備える。傾斜板は、電子装置を収容する第１の電子装置収容装置と第２の電子装置収容装置との間に配置され、上記第１の電子装置収容装置側の空間と上記第２の電子装置収容装置側の空間とを仕切る。可動フィルタ部は、上記傾斜板の周囲を取り囲むように周回する。【００１０】
本明細書で開示する電子装置用筐体は、上記フィルタ装置と、上記第１の電子装置収容装置及び上記第２の電子装置収容装置と、を備える。
【発明の効果】
【００１１】
本明細書で開示するフィルタ装置及び電子装置用筐体によれば、フィルタのメンテナンス負担を軽減することができる。
【図面の簡単な説明】
【００１２】
【図１】フィルタ装置を備える電子装置用筐体を示す斜視図及び概略右側面図である。
【図２Ａ】フィルタ装置を示す斜視図である。
【図２Ｂ】フィルタ装置を示す平面図である。
【図２Ｃ】フィルタ装置を示す正面図である。
【図２Ｄ】フィルタ装置を示す右側面図である。
【図３】傾斜板を取り除いた状態のフィルタ装置を示す斜視図である。
【図４Ａ】枠部を示す斜視図である。
【図４Ｂ】枠部を示す平面図、正面図、斜視図及びＡ矢視図である。
【図５】フィルタを示す斜視図である。
【図６】上側フィルタ保持部を示す平面図、正面図及び右側面図である。
【図７】図６のＢ矢視図である。
【図８】下側フィルタ保持部を示す平面図、正面図及び右側面図である。
【図９】図８のＣ矢視図である。
【図１０Ａ】塵埃除去部を示す斜視図である。
【図１０Ｂ】塵埃除去部を示す平面図である。
【図１０Ｃ】塵埃除去部を示す正面図である。
【図１０Ｄ】塵埃除去部を示す左側面図である。
【図１０Ｅ】塵埃除去部を示す右側面図である。
【図１１】可動フィルタ部、塵埃除去部及び駆動部を示す平面図である。
【図１２】図１１のＤ矢視図である。
【図１３Ａ】塵埃除去部の動作を説明するための図１２のＩ−Ｉ断面図（その１）である。
【図１３Ｂ】塵埃除去部の動作を説明するための図１２のＩ−Ｉ断面図（その２）である。
【図１３Ｃ】塵埃除去部の動作を説明するための図１２のＩ−Ｉ断面図（その３）である。
【図１４】可動フィルタ部、塵埃除去部及び駆動部を示す断面図である。
【図１５】図１４のＥ部拡大図である。
【図１６】枠部及び可動フィルタ部を示す平面図である。
【図１７】枠部の右側面図である。
【図１８】図１６のII−II断面図及びIII−III断面図である。
【図１９】図１６のIV−IV断面図である。
【発明を実施するための形態】
【００１３】
以下、実施の形態に係るフィルタ装置及び電子装置用筐体について、図面を参照しながら説明する。
図１は、フィルタ装置１０を備える電子装置用筐体１を示す斜視図（図１（ａ））及び概略右側面図（図１（ｂ））である。
【００１４】
図１に示す電子装置用筐体１は、フィルタ装置１０と、第１の電子装置収容装置２と、第２の電子装置収容装置３とを備える。電子装置用筐体１は、例えば、伝送装置やサーバ用の筐体として用いられる。
【００１５】
第１の電子装置収容装置２及び第２の電子装置収容装置３には、任意数の電子装置２０が、対応する支持部４，５により支持された状態で収容される。
フィルタ装置１０は、第１の電子装置収容装置２と、その下段に位置する第２の電子装置収容装置３との間に配置されている。フィルタ装置１０と第１の電子装置収容装置２との間には、第１の電子装置収容装置２に冷却用空気を送る複数の冷却ファン３０が並列に配置されている。
【００１６】
フィルタ装置１０について詳しくは後述するが、フィルタ装置１０は、例えば図１（ｂ）に示すように前方下端から後方上端に亘って延びる例えば熱遮蔽板である傾斜板１１を含む。
【００１７】
この傾斜板１１は、第１の電子装置収容装置２側の空間と第２の電子装置収容装置３側の空間とを仕切っている。傾斜板１１は、第１の電子装置収容装置２と第２の電子装置収容装置３との配列方向（本実施の形態では鉛直方向）及びこの配列方向に直交する平面（本実施の形態では水平面）に対し傾斜して設けられている。
【００１８】
傾斜板１１は、一方の面（上面）１１ａで、フィルタ装置１０の前方から吸入される吸入気体を第１の電子装置収容装置２へ向けて上方に偏向させる。また、傾斜板１１は、他方の面（底面）１１ｂで、第２の電子装置収容装置３から上方に排出される排出気体をフィルタ装置１０の後方へ向けて偏向させる。
【００１９】
なお、図１に示す電子装置用筐体１は、２つの電子装置収容装置２，３を備えるが、３つ以上の任意数の電子装置収容装置を備えるようにしてもよく、その場合も、各電子装置収容装置の間にフィルタ装置１０を配置するとよい。
【００２０】
図２Ａ〜図２Ｄは、フィルタ装置１０を示す斜視図、平面図、正面図及び右側面図である。
図３は、傾斜板１１を取り除いた状態のフィルタ装置１０を示す斜視図である。
フィルタ装置１０は、上述の傾斜板１１と、枠部１２（図４Ａ及び図４Ｂ参照）と、可動フィルタ部１３（図５〜図９参照）と、塵埃除去部１４（図１０Ａ〜図１０Ｅ参照）と、４つのフィルタ駆動部１５（図３、図１２、図１４及び図１５参照）とを備える。
【００２１】
傾斜板１１は、例えば平板状を呈し、図２Ａに示すように枠部１２の前面部１２ａの下端と背面部１２ｃの上端とに固定されている。傾斜板１１は、第１の電子装置収容装置２側の空間及び第２の電子装置収容装置３側の空間、本実施の形態では、フィルタ装置１０の上下の空間を仕切る。
【００２２】
図４Ａは枠部１２を示す斜視図であり、図４Ｂは枠部１２を示す平面図、正面図、斜視図及びＡ矢視図である。
枠部１２は、前面部１２ａと、右側面部１２ｂと、背面部１２ｃと、左側面部１２ｄとを含み、平面視において矩形枠状を呈する。枠部１２の前面部１２ａ及び背面部１２ｃには、窓部１２ｅ，１２ｆが形成されている。
【００２３】
なお、前面部１２ａの窓部１２ｅは、図１に示す第１の電子装置収容装置２への吸入気体の「吸入口」の一例である。背面部１２ｃの窓部１２ｆは、第２の電子装置収容装置３からの排出気体の「排出口」の一例である。
【００２４】
枠部１２の前面部１２ａ、右側面部１２ｂ、背面部１２ｃ及び左側面部１２ｄには、後述する可動フィルタ部１３の図１８及び図１９に示す上側ガイド用凸部１３ｊ（図６では省略）を挿入される上側ガイド孔１２ｇ，１２ｈ，１２ｉ，１２ｊが形成されている。
【００２５】
図１８及び図１９に示すように、上側ガイド用凸部１３ｊは、上側フィルタ保持部１３ｂの外周面の上端から外側に突出するように例えば一定間隔で複数個形成されている。
枠部１２の前面部１２ａ、右側面部１２ｂ、背面部１２ｃ及び左側面部１２ｄには、可動フィルタ部１３の図１８及び図１９に示す下側ガイド用凸部１３ｋ（図６では省略）を挿入される下側ガイド孔１２ｋ，１２ｌ，１２ｍ，１２ｎが形成されている。
【００２６】
図１８及び図１９に示すように、下側ガイド用凸部１３ｋは、下側フィルタ保持部１３ｃの外周面の下端から外側に突出するように例えば一定間隔で複数個形成されている。
可動フィルタ部１３は、例えば、枠部１２及び４つのフィルタ駆動部１５によって支持される。可動フィルタ部１３は、上側ガイド用凸部１３ｊ及び下側ガイド用凸部１３ｋが枠部１２の上側ガイド孔１２ｇ〜１２ｊ及び下側ガイド孔１２ｋ〜１２ｎに挿入されることで枠部１２に支持される。また、可動フィルタ部１３は、後述する上側噛合孔１３ｆ及び下側噛合孔１３ｇが４つのフィルタ駆動部１５の上側歯車１５ｂ及び下側歯車１５ｃに噛合することで４つのフィルタ駆動部１５に支持される。
【００２７】
前面部１２ａの上側ガイド孔１２ｇと下側ガイド孔１２ｋとは、前面部１２ａに形成された窓部１２ｅを挟んで互いに平行に形成されている。同様に、背面部１２ｃの上側ガイド孔１２ｉと下側ガイド孔１２ｍとは、背面部１２ｃに形成された窓部１２ｆを挟んで互いに平行に形成されている。
【００２８】
図１７に示すように、右側面部１２ｂの前端側における上側ガイド孔１２ｈと下側ガイド孔１２ｌとの間の長さは、前面部１２ａの上側ガイド孔１２ｇと下側ガイド孔１２ｋとの間の長さと同一の長さＨ１である。
【００２９】
右側面部１２ｂの上側ガイド孔１２ｈと下側ガイド孔１２ｌとは、前端側から後端側に向かって、互いに遠ざかるように、それぞれ水平から角度θ傾いている。右側面部１２ｂの後端側における上側ガイド孔１２ｈと下側ガイド孔１２ｌとの間の長さは、背面部１２ｃの上側ガイド孔１２ｉと下側ガイド孔１２ｍとの間の長さと同一の長さのＨ２である。
【００３０】
ここで、右側面部１２ｂの上側ガイド孔１２ｈ及び下側ガイド孔１２ｌの水平方向の長さは、それぞれ長さＬである。そのため、長さＨ２は、「Ｈ１＋２×（Ｌｔａｎθ）」で表される。
【００３１】
図示はしないが、左側面部１２ｄの上側ガイド孔１２ｊと下側ガイド孔１２ｎとは、前端側から後端側に向かって、互いに遠ざかるように、それぞれ水平から角度θ傾いている。左側面部１２ｄの上側ガイド孔１２ｊと下側ガイド孔１２ｎとの間の長さは、右側面部１２ｂと同様に、前端側が長さＨ１で後端側が長さＨ２である。
【００３２】
詳しくは後述するが、可動フィルタ部１３は、図３に示すように平面視反時計回りに傾斜板１１の周囲を取り囲むように周回する。そのため、右側面部１２ｂの上側ガイド孔１２ｈと下側ガイド孔１２ｌとの間で、伸縮性を有するフィルタ１３ａ（可動フィルタ部１３）は、前端から後端にいくほど高さ方向に引っ張られることで拡張する（図１８の紙面左側のII−II断面図のフィルタ１３ａ´）。
【００３３】
なお、拡張したフィルタ１３ａ´は、背面部１２ｃの互いに平行な上側ガイド孔１２ｉと下側ガイド孔１２ｍとの間でも高さ方向に引っ張られ拡張した状態のまま周回する。そして、拡張したフィルタ１３ａ´は、左側面部１２ｄの上側ガイド孔１２ｊと下側ガイド孔１２ｎとの間で、後端から前端にいくほど高さ方向に引っ張られる度合いが弱まり（図１９に示すフィルタ１３ａ´´）、左側面部１２ｄの前端において、元の高さに戻る。
【００３４】
以上の上側ガイド孔１２ｇ〜１２ｊ及び下側ガイド孔１２ｋ〜１２ｎは、可動フィルタ部１３を、その背面（塵埃除去部１４により塵埃が除去される部分）において拡張させる「フィルタ拡張部」の「ガイド部」の一例である。
【００３５】
以上のように、上側ガイド孔１２ｇ〜１２ｊと下側ガイド孔１２ｋ〜１２ｎとは、可動フィルタ部１３の周回方向（矢印Ｒ）に亘って互いの間隔を増減させることで可動フィルタ部１３のフィルタ１３ａを拡張させる。
【００３６】
なお、上側ガイド孔１２ｇ〜１２ｊと下側ガイド孔１２ｋ〜１２ｎとの間隔を増減させるのは、可動フィルタ部１３のうち、塵埃除去部１４により塵埃が除去される部分（例えば、背面部１２ｃの上側ガイド孔１２ｉ及び下側ガイド孔１２ｍ）のみとしてもよい。
【００３７】
また、上側ガイド孔１２ｇ〜１２ｊ及び下側ガイド孔１２ｋ〜１２ｎを可動フィルタ１３に設け、上側ガイド用凸部１３ｊ及び下側ガイド用凸部１３ｋを枠部１２に設けてもよい。また、「ガイド部」としては、ガイド孔及びガイド用凸部によるものでなくとも、可動フィルタ部１３をガイドしうるものであればよい。また、「フィルタ拡張部」としては、可動フィルタ部１３を拡張させるものであればよいため、フィルタ１３ａを引張るものや、フィルタ１３ａを押付けるものなど、その他の構造としてもよい。
なお、図３及び図４Ａでは、枠部１２の右側面部１２ｂが内周面（周回軌道の内側）に開口していないように図示しているが、図１９に示す左側面部１２ｄと同様に内周面に開口しているものとする。
【００３８】
枠部１２の右側面部１２ｂ及び左側面部１２ｄには、それぞれＬ字状の取付具１６，１７が固定されている。フィルタ装置１０は、例えば、取付具１６，１７によって電子装置用筐体１の左右の支柱６，７に対し取付けられる。
【００３９】
図５は、フィルタ１３ａを示す斜視図である。
図６は上側フィルタ保持部１３ｂを示す平面図、正面図及び右側面図であり、図７は図６のＢ矢視図である。
【００４０】
図８は下側フィルタ保持部１３ｃを示す平面図、正面図及び右側面図であり、図９は図８のＣ矢視図である。
可動フィルタ部１３は、図５に示す伸縮性を有するフィルタ１３ａと、図６及び図７に示す上側フィルタ保持部１３ｂと、図８及び図９に示す下側フィルタ保持部１３ｃとを含む。
【００４１】
可動フィルタ部１３は、後述するフィルタ駆動部１５によって図１１に示すように反時計回りに、傾斜板１１の周囲を取り囲むように周回する（周回方向Ｒ）。枠部１２は上述のように平面視において矩形状を呈するため、フィルタ１３ａ、上側フィルタ保持部１３ｂ及び下側フィルタ保持部１３ｃは、枠部１２の四つ角部分を周回可能なように可撓性を有する。
【００４２】
フィルタ１３ａは、伸縮性を有する材料からなり、帯状を呈する。フィルタ１３ａは、無端ループ状に形成されているが、少なくとも一方の窓部１２ｅ，１２ｆに位置すれば塵埃を除去できる。そのため、フィルタ１３ａは、窓部１２ｅ，１２ｆを覆う大きさのフィルタが周回方向に複数個設けられているものでもよい。
【００４３】
上側フィルタ保持部１３ｂ及び下側フィルタ保持部１３ｃは、ループ状を呈し、図１８及び図１９に示すように、フィルタ１３ａの上端及び下端を例えば挟持することで保持する。上側フィルタ保持部１３ｂと下側フィルタ保持部１３ｃとは、フィルタ１３ａを挟んで対称的に設けられている。
【００４４】
上側フィルタ保持部１３ｂの内周面下端には、図６、図７、図１８及び図１９に示すように、塵埃除去部１４（図３、図１０Ａ等）の上側被押圧部１４ｆを押圧する上側突起部１３ｄが可動フィルタ１３の周回方向（矢印Ｒ）に等間隔に複数個配置されている。
【００４５】
同様に、下側フィルタ保持部１３ｃの内周面上端には、図８、図９及び１８及び図１９に示すように、塵埃除去部１４の下側被押圧部１４ｇを押圧する下側突起部１３ｅが周回方向（矢印Ｒ）に等間隔に複数個配置されている。
【００４６】
例えば、上側突起部１３ｄ及び下側突起部１３ｅは、周回方向（矢印Ｒ）の前端から後端にいくほど突出量である厚みが増し、後端面が上側フィルタ保持部１３ｂ及び下側フィルタ保持部１３ｃと直角をなす平面視直角三角形状を呈する。
【００４７】
上側突起部１３ｄ及び下側突起部１３ｅには、図１３Ａ〜図１３Ｃにも示すように、上側フィルタ保持部１３ｂおよび下側フィルタ保持部１３ｃの内周側の傾斜面に凹部であるスリット１３ｈ，１３ｉが形成されている。これらスリット１３ｈ，１３ｉは、可動フィルタ部１３がフィルタ装置１０の四つ角を周回する際に、上側突起部１３ｄ及び下側突起部１３ｅに加わる曲げ応力を緩和する。これによって、上側突起部１３ｄ及び下側突起部１３ｅの周回ひいては可動フィルタ部１３の周回が容易になる。
【００４８】
なお、上側突起部１３ｄ及び下側突起部１３ｅの数は、それぞれ１個ずつとしてもよく、また、図６〜図９に示すように数十個ずつとしてもよい。この数は、後述するフィルタ駆動部１５のモータ１５ａの回転数や、塵埃除去部１４の塵埃除去能力や、フィルタ１３ａへの塵埃の付着の度合いなどに応じて適宜決定される。
【００４９】
上側フィルタ保持部１３ｂの内周面上端には、図１５に示すフィルタ駆動部１５の上側歯車１５ｂに噛合する上側噛合孔１３ｆが周回方向（矢印Ｒ）に等間隔に形成されている。下側フィルタ保持部１３ｃの内周面下端には、フィルタ駆動部１５の下側歯車１５ｃに噛合する下側噛合孔１３ｇが周回方向（矢印Ｒ）に等間隔に形成されている。
【００５０】
図１０Ａ〜図１０Ｅは、塵埃除去部１４を示す斜視図、平面図、正面図、左側面図及び右側面図である。
塵埃除去部１４は、例えば、所定の形状に加工された薄板を適宜屈曲させることで形成される。塵埃除去部１４は、例えば、可動フィルタ部１３の周回軌道の内側に設けられ、フィルタ１３ａの塵埃を、枠部１２の背面部１２ｃの窓部１２ｇから上記周回軌道の外側にはたき出す。
【００５１】
塵埃除去部１４は、はたき部１４ａと、はたき部支持部１４ｂと、基部１４ｃと、上側固定部１４ｄ及び下側固定部１４ｅと、上側被押圧部１４ｆ及び下側被押圧部１４ｇとを含む。
【００５２】
はたき部１４ａは、可動フィルタ部１３の周回方向に長い矩形状を呈し、可動フィルタ部１３と対向するように設けられている。
はたき部支持部１４ｂは、はたき部１４ａの右端（図１０Ｂの紙面右方向）から後方（可動フィルタ部１３と遠ざかる方向。図１０Ｂの紙面下方向）に延びる。はたき部支持部１４ｂは、高さ方向よりも前後方向に短い矩形状を呈し、はたき部１４ａと上端位置及び下端位置が同一である。
【００５３】
基部１４ｃは、はたき部支持部１４ｂの後端側の２つの直角の屈曲部分を挟んではたき部支持部１４ｂと平行となっており、はたき部支持部１４ｂとわずかな隙間を隔てて対向している。基部１４ｃは、はたき部１４ａ及びはたき部支持部１４ｂよりも上方及び下方に突出している。
【００５４】
基部１４ｃは、はたき部支持部１４ｂよりも高さ方向に長く前後方向に短く形成されている。基部１４ｃには、可動フィルタ部１３側に矩形状の凹部１４ｈが形成されている。この凹部１４ｈは、はたき部支持部１４ｂとの間に、上側フィルタ保持部１３ｂの上側突起部１３ｄ、及び、下側フィルタ保持部１３ｃの下側突起部１３ｅを通過させる。そのため、凹部１４ｈは、はたき部支持部１４ｂ、上側突起部１３ｄ及び下側突起部１３ｅの合計の高さよりも高さ方向に長く形成されている。
【００５５】
上側固定部１４ｄ及び下側固定部１４ｅは、基部１４ｃの前端の上端及び下端を、はたき部１４ａと反対側に折り返されてなる。塵埃除去部１４は、上側固定部１４ｄ及び下側固定部１４ｅにおいて、枠部１２に対して固定されている。
【００５６】
上側被押圧部１４ｆ及び下側被押圧部１４ｇは、はたき部１４ａの上端及び下端の左端から後方に延びる上側水平部１４ｉ及び下側水平部１４ｊと、これら水平部１４ｉ，１４ｊの後端を上方に屈曲させてなる上側当接部１４ｋ及び下側当接部１４ｌとを含む。
【００５７】
上側水平部１４ｉ及び下側水平部１４ｊの前後方向の奥行は、図１０Ｂに示すように右端の奥行Ｄ１が左端の奥行Ｄ２よりも大きくなっている。これにより、右方から左方に周回する可動フィルタ部１３の上側突起部１３ｄが上側水平部１４ｉの上方に、下側突起部１３ｅが下側水平部１４ｊの下方に、それぞれ進入しやすくなる。更には、上側突起部１３ｄが上側当接部１４ｋを、下側突起部１３ｅが下側当接部１４ｌを、それぞれ押圧しやすくなる。
【００５８】
上側当接部１４ｋ及び下側当接部１４ｌが上側突起部１３ｄ及び下側突起部１３ｅに押圧されると、はたき部１４ａは、可動フィルタ部１３から後方に遠ざけられ、その反動によって、可動フィルタ部１３のフィルタ１３ａをはたく。
【００５９】
はたき部１４ａは、例えば、はたき部１４ａとはたき部支持部１４ｂとの間の屈曲部分を回動軸として、押圧され遠ざけられた位置とフィルタ１３ａをはたく位置とに回動するが、はたき部支持部１４ｂと基部１４ｃとの間の屈曲部分が回動軸となることもある。
【００６０】
なお、はたき部１４ａは、フィルタ１３ａをはたく機能を有するものであれば、右端から左端にいくほど可動フィルタ部１３から遠ざかるように湾曲する曲面状など、平面状以外の形状であってもよい。
【００６１】
塵埃除去部１４は、本実施の形態では、はたき部１４ａによってフィルタ１３ａをはたくことにより塵埃を除去するが、その他の手法により塵埃を除去するようにしてもよい。例えば、塵埃除去部１４は、エアの吐出により塵埃を除去する吐出機構、エアの吸引により塵埃を除去する吸引機構、ブラシ等で塵埃を擦り出す擦り出し機構、ブラシ等で塵埃を擦り取る擦り取り機構等の他の機構を有するものとしてもよい。
【００６２】
図３、図１２、図１４及び図１５に示すフィルタ駆動部１５は、枠部１２の四つ角のそれぞれに配置されている。４つのフィルタ駆動部１５は、それぞれ、モータ１５ａと、上側歯車１５ｂと、下側歯車１５ｃと、駆動軸１５ｄと、を含む。
【００６３】
モータ１５ａは、反時計回りに駆動軸１５ｄを駆動させる。この駆動軸１５ｄに固定されている上側歯車１５ｂ及び下側歯車１５ｃは、駆動軸１５ｄと共に反時計回りに回転する。
【００６４】
上述のように上側歯車１５ｂ及び下側歯車１５ｃには可動フィルタ部１３の上側噛合孔１３ｆ及び下側噛合孔１３ｇが噛合する。そのため、可動フィルタ部１３は、モータ１５ａの駆動によって反時計回りに、傾斜板１１の周囲を取り囲むように周回する。
【００６５】
枠部１２と、上側歯車１５ｂ及び下側歯車１５ｃとの干渉を回避するために、枠部１２の前面部１２ａ、右側面部１２ｂ、背面部１２ｃ及び左側面部１４ｄには、切り欠きが形成されている。フィルタ駆動部１５は、常に可動フィルタ部１３を周回させなくとも、例えば定期的に周回させてもよい。
【００６６】
以下、フィルタ装置１０の動作について上述の説明と重複する点については適宜省略しながら説明する。
まず、図１４、図１５等に示すように、フィルタ駆動部１５のモータ１５ａは、平面視反時計回りに駆動軸１５ｄを駆動させる。上側歯車１５ｂ及び下側歯車１５ｃは、駆動軸１５ｄに固定されているため、駆動軸１５ｄと共に反時計回りに回転する。
【００６７】
可動フィルタ部１３は、上側フィルタ保持部１３ｂの上側噛合孔１３ｆが上側歯車１５ｂに、下側フィルタ保持部１３ｃの下側噛合孔１３ｇが下側歯車１５ｃに、それぞれ噛合することで、図１１に示すように反時計回りである周回方向（矢印Ｒ）に周回する。
【００６８】
可動フィルタ保持部１３は、図１８及び図１９に示す上側ガイド用凸部１３ｊ及び下側ガイド用凸部１３ｋが挿入される上側ガイド孔１２ｇ〜１２ｊ及び下側ガイド孔１２ｋ〜１２ｎによりガイドされる。これにより、可動フィルタ部１３は、枠部１２に沿って上記周回方向（矢印Ｒ）に周回する。
【００６９】
なお、上述のように、枠部１２の右側面部１２ｂの上側ガイド孔１２ｈ及び下側ガイド孔１２ｌは、図１７に示すように、前端側から後端側に向かって互いに遠ざかるように、それぞれ水平から角度θ傾いている。
【００７０】
上側ガイド孔１２ｈと下側ガイド孔１２ｌとの間隔は、右側面部１２ｂの前端において長さＨ１であり、後端において長さＨ２である。上側ガイド孔１２ｈ及び下側ガイド孔１２ｌの水平方向の長さが長さＬであるため、長さＨ２は、「Ｈ１＋２×（Ｌｔａｎθ）」で表される。
【００７１】
このように、フィルタ１３ａは、右側面部１２ｂの前端側から後端側にいくほど高さ方向に引っ張られる度合いが強まり、後端では高さ方向に長さ「Ｈ２−Ｈ１」（＝２×（Ｌｔａｎθ））引っ張られる。この引っ張りによって、フィルタ１３ａひいては可動フィルタ部１３が拡張する（図１８の紙面左側のII−II断面図のフィルタ１３ａ´）。
【００７２】
上述のように、可動フィルタ部１３は、背面部１２ｃの互いに平行な上側ガイド孔１２ｉと下側ガイド孔１２ｍとの間でも高さ方向に引っ張られ拡張した状態のまま周回する。そして、可動フィルタ部１３は、左側面部１２ｄの上側ガイド孔１２ｊと下側ガイド孔１２ｎとの間で、後端から前端にいくほど高さ方向に引っ張られる度合いが弱まる（図１９に示すフィルタ１３ａ´´）。これにより、可動フィルタ部１３は、左側面部１２ｄの前端において、元の高さ（前面部１２ａにおける高さ）に戻る。
【００７３】
フィルタ１３ａが拡張した状態の背面部１２ｂにおいて、上側フィルタ保持部１３ｂ及び下側フィルタ保持部１３ｃの突起部１３ｄ，１３ｅは、周回時に塵埃除去部１４の上側被押圧部１４ｆ及び下側被押圧部１４ｇを押圧する（図１３Ａ及び図１３Ｂ参照）。これにより、上側突起部１３ｄ及び下側突起部１３ｅは、はたき部１４ａを可動フィルタ部１
３から遠ざけその反動で図１３Ｃに示すようにはたき部１４ａにより、拡張した可動フィルタ部１３（フィルタ１３ａ）をはたかせる。
【００７４】
以上説明した本実施の形態では、フィルタ装置１０は、第１の電子装置収容装置２側の空間と第２の電子装置収容装置３側の空間とを仕切る傾斜板１１と、この傾斜板１１の周囲を周回する可動フィルタ部１３と、を備える。そのため、可動フィルタ部１３は、第１の電子装置収容装置２への吸入気体に含まれる塵埃等を可動フィルタ部１３の全体で吸収することができる。よって、本実施の形態によれば、フィルタのメンテナンス負担を軽減することができる。
【００７５】
更には、可動フィルタ部１３が傾斜板１１の周囲を周回するため、第１の電子装置収容装置２への吸入気体に含まれる塵埃を吸収することができると共に、第２の電子装置収容装置３からの排出気体で塵埃を排出することができる。
【００７６】
本実施の形態では、フィルタ装置１０は、可動フィルタ部１３に付着した塵埃を除去する塵埃除去部１４を備える。そのため、フィルタのメンテナンス負担をより一層軽減することができる。
【００７７】
本実施の形態では、可動フィルタ部１３は、第１の電子装置収容装置２への吸入気体の吸入口（枠部１２の前面部１２ａの窓部１２ｅ）と第２の電子装置収容装置３からの排出気体の排出口（背面部１２ｃの窓部１２ｆ）とに亘って傾斜板１１の周囲を周回する。そして、塵埃除去部１４は、上記排出口（窓部１２ｆ）において塵埃を除去する。そのため、除去した塵埃が電子装置２０に付着するのを抑えることができる。
【００７８】
また、本実施の形態では、フィルタ拡張部（例えば、枠部１２の上側ガイド孔１２ｇ〜１２ｊ及び下側ガイド孔１２ｋ〜１２ｎ）は、可動フィルタ部１３（フィルタ１３ａ）を、塵埃除去部１４により塵埃が除去される部分（例えば枠部１２の背面部１２ｃ）において拡張させる。そのため、塵埃除去部１４によってより確実に塵埃を除去することができる。
【００７９】
また、本実施の形態では、枠部１２の上側ガイド孔１２ｇ〜１２ｊ及び下側ガイド孔１２ｋ〜１２ｎは、可動フィルタ部１３の周回方向（矢印Ｒ）に亘って互いの間隔が増減する。そのため、簡素な構成で可動フィルタ部１３（フィルタ１３ａ）を拡張させることができる。
【００８０】
また、本実施の形態では、可動フィルタ部１３の上側突起部１３ｄ及び下側突起部１３ｅは、周回時にはたき部１４ａを可動フィルタ部１３から遠ざけその反動ではたき部１４ａにより可動フィルタ部１３（フィルタ１３ａ）をはたかせる。そのため、簡素な構成で塵埃を除去することができる。
【００８１】
また、本実施の形態では、可動フィルタ部１３は、フィルタ１３ａと、このフィルタ１３ａを保持する上側フィルタ保持部１３ｂ及び下側フィルタ保持部１３ｃとを含む。上側突起部１３ｄ及び下側突起部１３ｅは、上側フィルタ保持部１３ｂ及び下側フィルタ保持部１３ｃに設けられている。そのため、より簡素な構成で塵埃を除去することができる。
【００８２】
また、本実施の形態では、上側突起部１３ｄ及び下側突起部１３ｅには、可動フィルタ部１３の周回時に加わる曲げ応力を緩和する凹部（スリット１３ｈ，１３ｉ）が形成されている。そのため、可動フィルタ部１３が上側突起部１３ｄ及び下側突起部１３ｅによってスムーズな周回を妨げられるのを防ぐことができる。
【符号の説明】
【００８３】
１      電子装置用筐体
２      第１の電子装置収容装置
３      第２の電子装置収容装置
４，５      支持部
６，７      支柱
１０      フィルタ装置
１１      傾斜板
１１ａ      上面
１１ｂ      底面
１２      枠部
１２ａ      前面部
１２ｂ      右側面部
１２ｃ      背面部
１２ｄ      左側面部
１２ｅ，１２ｆ      窓部
１２ｇ，１２ｈ，１２ｉ，１２ｊ      上側ガイド孔
１２ｋ，１２ｌ，１２ｍ，１２ｎ      下側ガイド孔
１３      可動フィルタ部
１３ａ      フィルタ
１３ｂ      上側フィルタ保持部
１３ｃ      下側フィルタ保持部
１３ｄ      上側突起部
１３ｅ      下側突起部
１３ｆ      上側噛合孔
１３ｇ      下側噛合孔
１３ｈ，１３ｉ      スリット
１３ｊ      上側ガイド用凸部
１３ｋ      下側ガイド用凸部
１４      塵埃除去部
１４ａ      はたき部
１４ｂ      はたき部支持部
１４ｃ      基部
１４ｄ      上側固定部
１４ｅ      下側固定部
１４ｆ      上側被押圧部
１４ｇ      下側被押圧部
１４ｈ      凹部
１４ｉ      上側水平部
１４ｊ      下側水平部
１４ｋ      上側当接部
１４ｌ      下側当接部
１５      フィルタ駆動部
１５ａ      モータ
１５ｂ      上側歯車
１５ｃ      下側歯車
１５ｄ      駆動軸
１６，１７      取付具
２０      電子装置
３０      冷却ファン
【図１】
2011070632.tif 000003
【図２Ａ】
2011070632.tif 000004
【図２Ｂ】
2011070632.tif 000005
【図２Ｃ】
2011070632.tif 000006
【図２Ｄ】
2011070632.tif 000007
【図３】
2011070632.tif 000008
【図４Ａ】
2011070632.tif 000009
【図４Ｂ】
2011070632.tif 000010
【図５】
2011070632.tif 000011
【図６】
2011070632.tif 000012
【図７】
2011070632.tif 000013
【図８】
2011070632.tif 000014
【図９】
2011070632.tif 000015
【図１０Ａ】
2011070632.tif 000016
【図１０Ｂ】
2011070632.tif 000017
【図１０Ｃ】
2011070632.tif 000018
【図１０Ｄ】
2011070632.tif 000019
【図１０Ｅ】
2011070632.tif 000020
【図１１】
2011070632.tif 000021
【図１２】
2011070632.tif 000022
【図１３Ａ】
2011070632.tif 000023
【図１３Ｂ】
2011070632.tif 000024
【図１３Ｃ】
2011070632.tif 000025
【図１４】
2011070632.tif 000026
【図１５】
2011070632.tif 000027
【図１６】
2011070632.tif 000028
【図１７】
2011070632.tif 000029
【図１８】
2011070632.tif 000030
【図１９】
2011070632.tif 000031
【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
電子装置を収容する第１の電子装置収容装置と第２の電子装置収容装置との間に配置され、前記第１の電子装置収容装置側の空間と前記第２の電子装置収容装置側の空間とを仕切る傾斜板と、
前記傾斜板の周囲を取り囲むように周回する可動フィルタ部と、
を備えることを特徴とするフィルタ装置。
【請求項２】
前記可動フィルタ部に付着した塵埃を除去する塵埃除去部を更に備えることを特徴とする請求項１記載のフィルタ装置。
【請求項３】
前記可動フィルタ部を、前記塵埃除去部により前記塵埃が除去される部分において拡張させるフィルタ拡張部を更に備えることを特徴とする請求項２記載のフィルタ装置。
【請求項４】
前記塵埃除去部は、前記可動フィルタ部をはたくはたき部を含み、
前記可動フィルタ部は、その周回時に前記はたき部を前記可動フィルタ部から遠ざけその反動で前記はたき部により前記可動フィルタ部をはたかせる突起部を含む、
ことを特徴とする請求項２記載のフィルタ装置。
【請求項５】
請求項１から請求項４のいずれか１項記載のフィルタ装置と、
前記第１の電子装置収容装置及び前記第２の電子装置収容装置と、
を備えることを特徴とする電子装置用筐体。
【国際調査報告】
2011070632.tif 000032
2011070632.tif 000033
2011070632.tif 000034
2011070632.tif 000035